(57)【要約】      （修正有）【課題】誤操作により画面上のオブジェクトが意図せず消えてしまうのを抑制することで、ユーザーの利便性を向上させることが可能な表示入力装置を提供する。【解決手段】タッチパネル部は、電子付箋ＤＰの表示領域の一部を複数の分割領域Ｄに分割した操作判定領域１０において、複数の分割領域Ｄの全てを１つずつタッチしていくスライド操作が行われ、操作判定領域１０でのスライド操作の操作時間が閾値時間を超えた場合には、操作判定領域１０でのスライド操作を表示停止操作として受け付け、液晶表示部は、タッチパネル部が表示停止操作を受け付けたとき、電子付箋ＤＰの表示を停止する。【選択図】図６
2014126968.tif 000002
【特許請求の範囲】
【請求項１】
オブジェクトを表示する表示部と、
前記表示部に対して設けられ、前記表示部での前記オブジェクトの表示を停止させるためのタッチ操作である表示停止操作を受け付けるタッチパネル部と、を備え、
前記タッチパネル部は、前記オブジェクトの表示領域の一部または全部を複数の分割領域に分割した操作判定領域において、前記タッチパネル部をタッチしたままタッチ位置を移動させることで前記複数の分割領域の全てを１つずつタッチしていくスライド操作が行われ、前記操作判定領域での前記スライド操作の開始から終了までの操作時間が予め定められた閾値時間を超えた場合には、前記操作判定領域での前記スライド操作を前記表示停止操作として受け付ける一方、前記複数の分割領域の全てがタッチされなかった場合、または、前記操作時間が前記閾値時間を超えなかった場合には、前記操作判定領域での操作を前記表示停止操作として受け付けず、
前記表示部は、前記タッチパネル部が前記表示停止操作を受け付けたとき、前記表示停止操作がなされた前記オブジェクトの表示を停止することを特徴とする表示入力装置。
【請求項２】
前記複数の分割領域のうちの１つが前記表示停止操作時に最初にタッチすべき操作開始領域として定められているとともに、前記複数の分割領域のうちの前記操作開始領域としての分割領域から離れるほど低くなるように前記複数の分割領域に順位が付されており、
前記操作判定領域において行われた前記スライド操作が前記複数の分割領域に付された順位に沿って前記複数の分割領域を１つずつタッチしていく操作であり、前記操作時間が前記閾値時間を超えた場合には、前記タッチパネル部は前記操作判定領域での前記スライド操作を前記表示停止操作として受け付けるとともに、前記表示部は前記表示停止操作がなされた前記オブジェクトの表示を停止する一方、
前記操作判定領域において行われた前記スライド操作が前記複数の分割領域に付された順位に沿わずに前記複数の分割領域を１つずつタッチしていく操作であった場合には、前記タッチパネル部は前記操作判定領域での前記スライド操作を前記表示停止操作として受け付けないことを特徴とする請求項１に記載の表示入力装置。
【請求項３】
前記オブジェクトの表示領域の一部または全部を前記操作判定領域と定め、前記操作判定領域を前記複数の分割領域に分割するとともに、前記タッチパネル部の出力に基づき前記操作判定領域において前記スライド操作が行われたか否かを判定し、前記操作判定領域において前記スライド操作が行われたと判定した場合に、前記操作時間が前記閾値時間を超えていれば、前記操作判定領域での前記スライド操作が前記表示停止操作であると判定する判定部を備えることを特徴とする請求項１または２に記載の表示入力装置。
【請求項４】
前記操作判定領域が３つ以上の分割領域に分割されることを特徴とする請求項１〜３のいずれかに記載の表示入力装置。
【請求項５】
請求項１〜４のいずれかに記載の表示入力装置を備えた画像形成装置。
【発明の詳細な説明】
【技術分野】
【０００１】
本発明は、表示入力装置および画像形成装置に関する。
【背景技術】
【０００２】
画像形成装置は、ジョブの実行に際して設定値の変更が可能な設定項目を複数有する。このため、画像形成装置には、複数の設定項目のうち設定値を変更する設定項目の選択をユーザーから受け付けたり、選択された設定項目の設定値の入力をユーザーから受け付けたりするための表示入力装置が備えられるのが一般的である。
【０００３】
画像形成装置の表示入力装置には、ハードキーなどの他に、ソフトキーを表示するタッチパネル付きの表示部が設けられる場合がある。このような表示入力装置では、各種設定を受け付けるためのソフトキーを表示部に表示し、タッチパネルの出力に基づき、タッチパネルを介してタッチされたソフトキーを検知する。
【０００４】
たとえば、タッチパネル付きの表示部を有する表示入力装置が特許文献１に開示されている。特許文献１の表示入力装置では、設定項目や設定値などを表示するだけでなく、ユーザーが作成したメッセージを登録し、そのメッセージを配したオブジェクト（電子付箋）を画面上に表示することができるようになっている。
【先行技術文献】
【特許文献】
【０００５】
【特許文献１】特開２００６−１３９１８６号公報
【発明の概要】
【発明が解決しようとする課題】
【０００６】
電子付箋の表示が可能な表示入力装置では、電子付箋を表示するとき、電子付箋の表示の停止を受け付けるための付箋消去キー（ソフトキー）を電子付箋の表示領域に配する場合がある。これにより、ユーザーは、表示中の電子付箋が不要となった場合、電子付箋の表示領域に配された付箋削除キーをタップ（指でたたくような操作）するだけで、不要な電子付箋を画面上から消すことができる。
【０００７】
ここで、表示入力装置のタッチパネル付きの表示部は、通常、装置の筐体から露出された状態となっている。このため、ユーザーが誤ってタッチパネルに触れてしまう場合がある。この場合、誤って触れた箇所に付箋消去キーが存在すると、結果的に付箋消去キーをタップしたことになり、消す必要のない電子付箋が画面上から意図せず消えてしまう。したがって、電子付箋を表示するための操作を再度行わなければならないという不都合が生じる。あるいは、電子付箋が画面上から消えたまま放置され、電子付箋のメッセージ内容がユーザーに報知されないという不都合が生じることもある。これにより、ユーザーにとっては利便性が悪い。
【０００８】
本発明は、上記課題を解決するためになされたものであり、誤操作により画面上のオブジェクトが意図せず消えてしまうのを抑制することで、ユーザーの利便性を向上させることが可能な表示入力装置および画像形成装置を提供することを目的とする。
【課題を解決するための手段】
【０００９】
上記目的を達成するために、本発明の表示入力装置は、オブジェクトを表示する表示部と、表示部に対して設けられ、表示部でのオブジェクトの表示を停止させるためのタッチ操作である表示停止操作を受け付けるタッチパネル部と、を備えている。そして、タッチパネル部は、オブジェクトの表示領域の一部または全部を複数の分割領域に分割した操作判定領域において、タッチパネル部をタッチしたままタッチ位置を移動させることで複数の分割領域の全てを１つずつタッチしていくスライド操作が行われ、操作判定領域でのスライド操作の開始から終了までの操作時間が予め定められた閾値時間を超えた場合には、操作判定領域でのスライド操作を表示停止操作として受け付ける一方、複数の分割領域の全てがタッチされなかった場合、または、操作時間が閾値時間を超えなかった場合には、操作判定領域での操作を前記表示停止操作として受け付けず、表示部は、タッチパネル部が表示停止操作を受け付けたとき、表示停止操作がなされたオブジェクトの表示を停止する。
【００１０】
本発明の構成によると、表示部に表示されたオブジェクトをタッチパネル部に対するタッチ操作によって画面上から消すとき、操作判定領域（オブジェクトの表示領域の一部または全部）の複数の分割領域の全てを１つずつタッチしていくスライド操作を行わなければならない。さらに、操作判定領域でのスライド操作の開始から終了までの操作時間が予め定められた閾値時間（たとえば、１秒）を超えていなければならない。したがって、オブジェクトの表示領域に対してタップ操作やフリック操作を行ったとしても、オブジェクトは画面上から消えない。このため、オブジェクトを画面上から消すことを意図していないにもかかわらず、タッチパネル部に誤って触れてしまう（結果的にオブジェクトの表示領域をタップしてしまう）ことによってオブジェクトが画面上から消える、という不都合が発生し難い。これにより、誤操作により画面上のオブジェクトが意図せず消えてしまうのを抑制することができ、ユーザーの利便性が向上する。
【００１１】
さらに、表示停止操作としてのスライド操作はオブジェクトを仮想的に剥がすような操作（めくるような操作）であるので、ユーザーからすると、表示停止操作が直感的で分かり易い。
【発明の効果】
【００１２】
以上のように、本発明によれば、誤操作により画面上のオブジェクトが意図せず消えてしまうのを抑制することができ、ユーザーの利便性が向上する。
【図面の簡単な説明】
【００１３】
【図１】本発明の一実施形態による表示入力装置を備えた画像形成装置の概略図
【図２】図１に示した画像形成装置の表示入力装置の詳細図
【図３】図１に示した画像形成装置のハードウェア構成を示したブロック図
【図４】図１に示した画像形成装置の表示入力装置に表示される画面（オブジェクトとしての電子付箋が配された画面）の一例を示した図
【図５】図４に示したオブジェクト（電子付箋）を作成するための画面の一例を示した図
【図６】図４に示したオブジェクト（電子付箋）の表示領域内に割り当てられる操作判定領域（複数の分割領域）を説明するための図
【図７】図４に示したオブジェクト（電子付箋）の表示を停止するための表示停止操作を説明するための図
【図８】図４に示したオブジェクト（電子付箋）の表示領域内に割り当てられる操作判定領域（複数の分割領域）を説明するための図
【図９】図４に示したオブジェクト（電子付箋）の表示領域内に割り当てられる操作判定領域（複数の分割領域）を説明するための図
【図１０】図４に示したオブジェクト（電子付箋）の表示領域内に割り当てられる操作判定領域（複数の分割領域）を説明するための図
【図１１】図４に示したオブジェクト（電子付箋）の表示領域内に割り当てられる操作判定領域（複数の分割領域）を説明するための図
【図１２】図１に示した画像形成装置の表示入力装置においてオブジェクト（電子付箋）の表示を停止するときの動作を説明するためのフローチャート
【図１３】図１に示した画像形成装置の表示入力装置においてオブジェクト（電子付箋）の表示を停止するときの動作を説明するためのフローチャート
【発明を実施するための形態】
【００１４】
以下に、本発明の一実施形態による表示入力装置を備えた画像形成装置について、コピージョブや送信（スキャン）ジョブなどの複数種のジョブの実行が可能な画像形成装置（複合機）を例にとって説明する。
【００１５】
（画像形成装置の全体構成）
図１に示すように、本実施形態の画像形成装置１００は、操作パネル１０１、原稿搬送部１０２Ａ、画像読取部１０２Ｂ、給紙部１０３、用紙搬送部１０４、画像形成部１０５、定着部１０６および後処理部１０７を備える。なお、操作パネル１０１は、本発明の「表示入力装置」に相当する。
【００１６】
操作パネル１０１は、たとえば、装置正面側に配置される。この操作パネル１０１は、図２に示すように、表示面上にタッチパネル部１１が設けられた液晶表示部１２を有する。液晶表示部１２は、ジョブの実行に際して設定値の変更が可能な設定項目、その設定項目の設定値を変更するためのソフトキー、および、装置状態を示すメッセージなどを配した画面を表示する。液晶表示部１２の表示面を覆うタッチパネル部１１は、タッチパネル部１１を介してタッチされたソフトキーを検知するために設けられている。また、操作パネル１０１には、数値入力を受け付けるテンキー１３や、ジョブの実行指示を受け付けるスタートキー１４などのハードキーも設けられている。
【００１７】
図１に戻って、原稿搬送部１０２Ａは、画像読取部１０２Ｂの装置背面側に設けられた回転軸（図示せず）を支点として開閉可能に取り付けられている。この原稿搬送部１０２Ａは、原稿セットトレイ２１にセットされた原稿Ｄを引き出し、搬送読取用コンタクトガラス２０ａの上方に送って原稿排出トレイ２２に排出する。また、原稿搬送部１０２Ａは、載置読取用コンタクトガラス２０ｂに載置された原稿Ｄを押える機能も有する。
【００１８】
画像読取部１０２Ｂは、原稿Ｄをスキャンし、原稿Ｄの画像データを生成する。この画像読取部１０２Ｂには、図示しないが、露光ランプ、ミラー、レンズおよびイメージセンサーなどの光学系部材が設けられている。そして、画像読取部１０２Ｂは、搬送読取用コンタクトガラス２０ａを通過する原稿Ｄまたは載置読取用コンタクトガラス２０ｂに載置される原稿Ｄに光を照射し、その原稿Ｄからの反射光を受けたイメージセンサーの出力値をＡ／Ｄ変換することによって原稿Ｄの画像データを生成する。
【００１９】
給紙部１０３は、用紙Ｐを収容するカセット３１を有し、カセット３１内の用紙Ｐを搬送路４０に供給する。給紙部１０３には、カセット３１内の用紙Ｐを引き出すピックアップローラー３２が設けられている。また、給紙部１０３には、カセット３１内から引き出される用紙Ｐの重送を抑制しつつ、用紙Ｐを搬送路４０に供給する給紙ローラー対３３が設けられている。
【００２０】
用紙搬送部１０４は、搬送路４０に供給された用紙Ｐを搬送路４０に沿って搬送し、画像形成部１０５および定着部１０６を経由して後処理部１０７に導く。この用紙搬送部１０４は、搬送路４０に回転可能に設置された搬送ローラー対４１を複数含む。複数の搬送ローラー対４１のうちの１組はレジストローラー対４２であり、用紙Ｐを画像形成部１０５の手前で待機させ、タイミングを合わせて画像形成部１０５に送り出す。
【００２１】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６を含む。
【００２２】
画像形成時には、感光体ドラム５１が回転駆動し、その感光体ドラム５１の表面を帯電装置５２が所定電位に帯電させる。また、露光装置５３は、露光用の光ビームＬを出力する発光素子（図示せず）を有し、その発光素子を点消灯させつつ感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２３】
転写ローラー５５は、感光体ドラム５１の表面に圧接して回転可能となっている。そして、レジストローラー対４２がタイミングを計り、転写ローラー５５と感光体ドラム５１との間に用紙Ｐを進入させる。これにより、感光体ドラム５１の表面のトナー像が用紙Ｐに転写される。この後、クリーニング装置５６は、感光体ドラム５１の表面に残留するトナーなどを除去する。
【００２４】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含む。そして、トナー像が転写された用紙Ｐは、定着ローラー６１と加圧ローラー６２との間を通過することで、加熱・加圧される。これにより、用紙Ｐにトナー像が定着され、印刷が完了する。
【００２５】
後処理部１０７は、定着部１０６から印刷済みの用紙Ｐを受け取り、仕分け処理、ステープル処理およびパンチ処理などの後処理を行う。そして、後処理部１０７は、印刷済みの用紙Ｐに対して後処理を施した後、用紙Ｐを排出トレイ７１に排出する。
【００２６】
（画像形成装置のハードウェア構成）
図３に示すように、画像形成装置１００は、主制御部１１０を備える。主制御部１１０は、ＣＰＵ１１１、画像処理部１１２および記憶部１１３を含む。画像処理部１１２は、画像処理専用のＡＳＩＣやメモリーなどからなっており、画像データに対して各種画像処理（拡大／縮小、濃度変換およびデータ形式変換など）を施す。記憶部１１３は、ＲＯＭやＲＡＭなどからなり、たとえば、ジョブの実行に必要なプログラムおよびデータがＲＯＭに記憶され、それらプログラムおよびデータがＲＡＭに展開される。
【００２７】
この主制御部１１０には、原稿搬送部１０２Ａ、画像読取部１０２Ｂ、給紙部１０３、用紙搬送部１０４、画像形成部１０５、定着部１０６および後処理部１０７が接続される。そして、主制御部１１０は、記憶部１１３に記憶されたプログラムおよびデータに基づき、全体制御、画像処理制御、および、各種モーターの駆動制御などを行う。
【００２８】
また、主制御部１１０は、操作パネル１０１に設けられた表示制御部１５と接続される。表示制御部１５は、主制御部１１０から指示を受け、操作パネル１０１の表示動作を制御する。たとえば、表示制御部１５は、液晶表示部１２に表示させたソフトキーがタッチされると、タッチパネル部１１の出力に基づきタッチ位置（座標）を検知する。すなわち、表示制御部１５は、タッチされたソフトキーを検知する。この表示制御部１５には記憶部１６が接続され、たとえば、タッチパネル部１１の出力とタッチ位置（座標）との対応を示すデータが記憶部１６に記憶される。
【００２９】
また、主制御部１１０には、通信部１２０が接続される。通信部１２０は、たとえば、外部のコンピューター２００（ユーザー端末やサーバーなど）とネットワークを介して通信可能に接続される。これにより、コンピューター２００から送信された画像データに基づき印刷を行うことができ、スキャンによって得られた画像データをコンピューター２００に送信することもできる。さらに、通信部１２０にモデムなどを内蔵してもよく、この場合、電話回線などのネットワークを介して、外部のファックス装置３００とファックス通信を行うことができる。
【００３０】
（電子付箋の表示）
操作パネル１０１は、図４に示すように、ユーザーによって作成された電子付箋ＤＰなどのオブジェクトを表示する。このような電子付箋ＤＰの作成指示を受け付けるため、表示制御部１５は、液晶表示部１２に指示し、種々の画面上に作成キーＭＫを表示させる。
【００３１】
表示制御部１５は、作成キーＭＫがタッチされると、図５に示すように、ソフトウェアキーボードを配したキーボード画面ＫＢを液晶表示部１２に表示させ、メッセージの入力指示の受け付けをタッチパネル部１１に行わせる。そして、表示制御部１５は、入力済みのメッセージを配した電子付箋ＤＰを液晶表示部１２に表示させる。すなわち、液晶表示部１２は、本発明の「表示部」に相当する。
【００３２】
たとえば、ユーザーによって電子付箋ＤＰが作成されると、その電子付箋ＤＰが登録される（電子付箋ＤＰを表示するためのデータが記憶部１６に記憶される）。そして、登録済みの電子付箋ＤＰは、電子付箋ＤＰを表示するための操作が行われることで表示される。あるいは、主電源が投入されたときや、省電力モードから復帰したときに、登録済みの電子付箋ＤＰが自動的に表示される。
【００３３】
なお、操作パネル１０１は、登録済みの電子付箋ＤＰを表示するためのデータを記憶部１６から削除するための操作を受け付ける。このような操作が行われると、電子付箋ＤＰを表示するためのデータが存在しないので、電子付箋ＤＰは表示されない。
【００３４】
（電子付箋の表示の停止）
タッチパネル部１１は、電子付箋ＤＰの表示領域において、液晶表示部１２での電子付箋ＤＰの表示を停止させるためのスライド操作（タッチパネル部１１をタッチしたままタッチ位置を移動させる操作）を受け付ける。以下、液晶表示部１２での電子付箋ＤＰの表示を停止させるためのスライド操作を表示停止操作と称する。そして、液晶表示部１２は、タッチパネル部１１が表示停止操作を受け付けたとき、表示停止操作がなされた電子付箋ＤＰ（表示停止操作時にタッチされた領域を表示領域として含む電子付箋ＤＰ）の表示を停止する。すなわち、表示停止操作がなされた電子付箋ＤＰは、画面上から消える。
【００３５】
ところで、表示停止操作というのは、電子付箋ＤＰを画面上から一時的に消す（電子付箋ＤＰの表示を一時的に停止する）ための操作である。したがって、表示停止操作がなされた電子付箋ＤＰ（画面上から消えた電子付箋ＤＰ）は、電子付箋ＤＰを表示するための操作が行われることで、再び表示される。あるいは、主電源が投入されたときや、省電力モードから復帰したときに、表示停止操作がなされた電子付箋ＤＰが再び表示される。なお、表示停止操作が行われたとき、表示停止操作がなされた電子付箋ＤＰを表示するためのデータそのものを記憶部１６から削除するようにしてもよい。この場合には、表示停止操作がなされた電子付箋ＤＰを再表示することはできない。
【００３６】
電子付箋ＤＰの表示領域において表示停止操作が行われたか否かの判定は、表示制御部１５が行う。この場合には、表示制御部１５が本発明の「判定部」に相当する。具体的には、表示制御部１５は、図６に示すように、電子付箋ＤＰの表示領域の一部を操作判定領域１０と定める。そして、表示制御部１５は、操作判定領域１０においてスライド操作が行われた場合に、そのスライド操作が表示停止操作であったか否かを判定する。すなわち、表示制御部１５は、電子付箋ＤＰの表示領域においてスライド操作があったとしても、そのスライド操作が操作判定領域１０以外の他の領域で行われたものであれば、表示停止操作が行われたか否かの判定は行わない（表示停止操作が行われたと判定されないので、電子付箋ＤＰの表示は停止されない）。
【００３７】
たとえば、電子付箋ＤＰの表示領域のうちのどの部分を操作判定領域１０とすべきかが予め定められており、領域設定情報として記憶部１６に記憶される。そして、表示制御部１５は、電子付箋ＤＢの表示領域のうちの予め定められた部分を操作判定領域１０と定める。たとえば、表示制御部１５は、ユーザーから見て、電子付箋ＤＰの表示領域のうちの右下の隅部を１つの頂点部分とする三角形状の部分を操作判定領域１０と定める。
【００３８】
また、表示制御部１５は、操作判定領域１０を複数の分割領域Ｄ（たとえば、３つの分割領域Ｄ１〜Ｄ３）に分割する。たとえば、表示制御部１５は、ユーザーから見て、電子付箋ＤＰの表示領域の右下の隅部から左上方向（左方向および上方向を含む）に向かって複数の分割領域Ｄが並ぶように（たとえば、分割領域Ｄ１、Ｄ２およびＤ３の順番で並ぶように）操作判定領域１０を分割する。なお、操作判定領域１０の分割数は特に限定されず、分割数が２つでもよいし、４つ以上であってもよい。
【００３９】
さらに、表示制御部１５は、複数の分割領域Ｄのうちの１つを表示停止操作時に最初にタッチすべき操作開始領域として定める。また、表示制御部１５は、複数の分割領域Ｄのうちの操作開始領域としての分割領域Ｄから離れるほど低くなるように複数の分割領域Ｄに順位を付す。たとえば、表示制御部１５は、分割領域Ｄ１を操作開始領域とし、分割領域Ｄ１の順位を最も高くする。すなわち、分割領域Ｄ１の順位が１位となるので、分割領域Ｄ２の順位が２位となり、分割領域Ｄ３の順位が３位となる。
【００４０】
表示停止操作が行われたか否かの判定に際して、表示制御部１５は、操作判定領域１０において複数の分割領域Ｄの全てを１つずつタッチしていくスライド操作がタッチパネル部１１に対して行われたか否かをタッチパネル部１１の出力に基づき検知するとともに、操作判定領域１０において行われたスライド操作が複数の分割領域Ｄに付した順位に沿って複数の分割領域Ｄを１つずつタッチしていく操作であったか否かをタッチパネル部１１の出力に基づき検知する。このとき、表示制御部１５は、複数の分割領域Ｄに対する各タッチ時間を計時し、記憶部１６に記憶させる。そして、表示制御部１５は、操作判定領域１０において複数の分割領域Ｄの全てを複数の分割領域Ｄに付した順位に沿って１つずつタッチしていくスライド操作がタッチパネル部１１に対して行われ、操作判定領域１０でのスライド操作の開始から終了までの操作時間（複数の分割領域Ｄに対する各タッチ時間の合計）が予め定められた閾値時間（たとえば、１秒）を超えたとき、操作判定領域１０でのスライド操作が表示停止操作であると判定する。言い換えると、タッチパネル部１１は、操作判定領域１０において複数の分割領域Ｄの全てを複数の分割領域Ｄに付された順位に沿って１つずつタッチしていくスライド操作が行われ、操作判定領域１０でのスライド操作の操作時間が閾値時間を超えたとき、操作判定領域１０でのスライド操作を表示停止操作として受け付ける。
【００４１】
その一方、表示制御部１５は、複数の分割領域Ｄの全てがタッチされなかった場合（たとえば、分割領域Ｄ１→分割領域Ｄ２の順でタッチされた後に分割領域Ｄ３がタッチされずにタッチが解除された場合）、または、操作判定領域１０でのスライド操作の操作時間が閾値時間を超えなかった場合には、表示停止操作が行われていないと判定する。すなわち、タッチパネル部１１は、操作判定領域１０での操作を表示停止操作として受け付けない。
【００４２】
さらに、表示制御部１５は、操作判定領域１０において行われたスライド操作が複数の分割領域Ｄに付した順位に沿わないで複数の分割領域Ｄの全てを１つずつタッチしていく操作であった場合（たとえば、分割領域Ｄ３→分割領域Ｄ２→分割領域Ｄ１の順でタッチされた場合）にも、表示停止操作が行われていないと判定する。すなわち、タッチパネル部１１は、操作判定領域１０において複数の分割領域Ｄの全てを１つずつタッチしていくスライド操作が行われたとしても、操作判定領域１０でのスライド操作を表示停止操作として受け付けない。
【００４３】
表示制御部１５は、操作判定領域１０でのスライド操作を表示停止操作と判定した場合（タッチパネル部１１が操作判定領域１０でのスライド操作を表示停止操作として受け付けた場合）、液晶表示部１２に指示し、表示停止操作がなされた電子付箋ＤＰの表示を停止させる。すなわち、液晶表示部１２は、タッチパネル部１１が表示停止操作を受け付けたとき、表示停止操作がなされた電子付箋ＤＰの表示を停止する。
【００４４】
このため、電子付箋ＤＰを画面上から消すときには、図７に示すように、分割領域Ｄ１を最初にタッチし、タッチを解除することなくタッチ位置を分割領域Ｄ１、分割領域Ｄ２および分割領域Ｄ３の順で移動させた後、分割領域Ｄ３に対するタッチを解除する、というスライド操作を操作判定領域１０において行わなければならない。さらに、操作判定領域１０でのスライド操作の操作時間が閾値時間を超えていなければならない。
【００４５】
なお、電子付箋ＤＰの表示領域のうちのユーザーから見て右下の隅部を１つの頂点部分とする三角形状の部分を操作判定領域１０とするのではなく、図８に示すように、電子付箋ＤＰの表示領域のうちのユーザーから見て右下以外の隅部（図８では、左下の隅部）を１つの頂点部分とする三角形状の部分を操作判定領域１０としてもよい。あるいは、図示しないが、電子付箋ＤＰの表示領域のうちの中央部分を操作判定領域１０としてもよい。また、図９に示すように、電子付箋ＤＰの表示領域の全部を操作判定領域１０としてもよい。すなわち、電子付箋ＤＰの表示領域のうちのどの部分を操作判定領域１０としてもよい。
【００４６】
また、操作判定領域１０の分割については、図１０に示すように、ユーザーから見て左右方向に複数の分割領域Ｄが並ぶように操作判定領域１０を分割してもよいし、図１１に示すように、ユーザーから見て上下方向に複数の分割領域Ｄが並ぶように操作判定領域１０を分割してもよい。
【００４７】
（電子付箋の表示を停止するときの動作）
以下に、図１２および図１３のフローチャートに沿って、電子付箋ＤＰの表示を停止するときの動作について説明する。
【００４８】
図１２のフローチャートのスタート時点では、液晶表示部１２が電子付箋ＤＰを表示しているとする。そして、電子付箋ＤＰの表示領域をタッチする操作をタッチパネル部１１が受け付けたとき、図１２のフローチャートがスタートする。
【００４９】
ステップＳ１において、表示制御部１５は、タッチパネル部１１の出力に基づき、操作判定領域１０の複数の分割領域Ｄのうち最も高い順位の分割領域Ｄである操作開始領域、すなわち、分割領域Ｄ１がタッチされたか否かを判断する。その結果、最高順位の分割領域Ｄがタッチされていなければ、ステップＳ２に移行し、表示制御部１５は、電子付箋ＤＰの表示を継続させる。
【００５０】
ステップＳ１において、最高順位の分割領域Ｄ（分割領域Ｄ１）がタッチされていると判断した場合には、ステップＳ３に移行する。ステップＳ３に移行すると、表示制御部１５は、タッチパネル部１１の出力に基づき、１段階低い順位の分割領域Ｄにタッチ位置が移動したか否かを判断する。たとえば、分割領域Ｄ１がタッチされたことでステップＳ３に移行した場合には、１段階低い順位の分割領域Ｄは分割領域Ｄ２であるので、分割領域Ｄ２にタッチ位置が移動したか否かを判断する。その結果、タッチ位置が移動していなければ、ステップＳ４に移行する。
【００５１】
ステップＳ４に移行すると、表示制御部１５は、タッチパネル部１１の出力に基づき、操作判定領域１０に対するタッチが解除されたか否かを判断する。その結果、タッチが解除されていれば、ステップＳ２に移行し、表示制御部１５は、電子付箋ＤＰの表示を継続させる。一方で、ステップＳ４において、タッチが解除されていなければ、ステップＳ３に移行し、表示制御部１５は、１段階低い順位の分割領域Ｄにタッチ位置が移動したか否かの判断を繰り返す。
【００５２】
ステップＳ３において、１段階低い順位の分割領域Ｄにタッチ位置が移動したと判断した場合には、ステップＳ５に移行する。ステップＳ５に移行すると、表示制御部１５は、現在タッチされている分割領域Ｄにタッチ位置が移動する直前にタッチされていた分割領域Ｄに対するタッチ時間を記憶部１６に記憶させる。たとえば、分割領域Ｄ１から分割領域Ｄ２にタッチ位置が移動されたことでステップＳ５に移行した場合には、分割領域Ｄ１に対するタッチ時間を記憶部１６に記憶させる。
【００５３】
続いて、ステップＳ６において、表示制御部１５は、現在タッチされている分割領域Ｄの順位が最も低い順位であるか否かを判断する。言い換えると、表示制御部１５は、複数の分割領域Ｄのうちタッチされていない分割領域Ｄが残っているか否かを判断する。その結果、現在タッチされている分割領域Ｄの順位が最も低ければ、ステップＳ７に移行し、現在タッチされている分割領域Ｄの順位が最も低くなければ、ステップＳ３に移行する。たとえば、現在タッチされている分割領域Ｄが分割領域Ｄ２である場合には、分割領域Ｄ２は最低順位の分割領域Ｄではないので、ステップＳ３に移行する。
【００５４】
現在タッチされている分割領域Ｄが分割領域Ｄ２であることでステップＳ３に移行した場合、ステップＳ３においては、分割領域Ｄ２から分割領域Ｄ３にタッチ位置が移動した否かが表示制御部１５によって判断され、分割領域Ｄ３にタッチ位置が移動したと表示制御部１５が判断すると、ステップＳ５に移行する。ステップＳ５に移行すると、表示制御部１５は、分割領域Ｄ２に対するタッチ時間を記憶部１６に記憶させる。そして、ステップＳ６に移行するが、この段階では、現在タッチされている分割領域Ｄは最低順位の分割領域Ｄ３である。このため、ステップＳ６からステップＳ７に移行する。
【００５５】
現在タッチされている分割領域Ｄが分割領域Ｄ３であることでステップＳ７に移行した場合には、表示制御部１５は、タッチパネル部１１の出力に基づき、操作判定領域１０（分割領域Ｄ３）に対するタッチが解除されたか否かを判断する。その結果、タッチが解除されていれば、ステップＳ８に移行し、タッチが解除されていなければ、ステップＳ７の判断を繰り返す。
【００５６】
ステップＳ８に移行すると、表示制御部１５は、タッチが解除される直前にタッチされていた分割領域Ｄに対するタッチ時間を記憶部１６に記憶させる。ここでは、タッチが解除される直前にタッチされていた分割領域Ｄは分割領域Ｄ３であるので、分割領域Ｄ３に対するタッチ時間を記憶部１６に記憶させる。
【００５７】
そして、ステップＳ９において、表示制御部１５は、操作判定領域１０でのスライド操作の開始から終了までの操作時間（複数の分割領域Ｄに対する各タッチ時間の合計）が予め定められた閾値時間（たとえば、１秒）を超えているか否かを判断する。その結果、操作時間が閾値時間を超過していれば、ステップＳ１０に移行する。一方で、操作時間が閾値時間を超過していなければ、ステップＳ２に移行し、表示制御部１５は、電子付箋ＤＰの表示を継続させる。
【００５８】
ステップＳ１０に移行すると、表示制御部１５は、操作判定領域１０において表示停止操作が行われたと判定する。その後、ステップＳ１１に移行し、表示制御部１５は、液晶表示部１２に指示し、表示停止操作がなされた電子付箋ＤＰの表示を停止させる。
【００５９】
本実施形態の操作パネル１０１（表示入力装置）は、上記のように、電子付箋ＤＰ（オブジェクト）を表示する液晶表示部１２（表示部）と、液晶表示部１２に対して設けられ、液晶表示部１２での電子付箋ＤＰの表示を停止させるためのタッチ操作である表示停止操作を受け付けるタッチパネル部１１と、を備える。そして、タッチパネル部１１は、電子付箋ＤＰの表示領域の一部を複数の分割領域Ｄに分割した操作判定領域１０において、タッチパネル部１１をタッチしたままタッチ位置を移動させることで複数の分割領域Ｄの全てを１つずつタッチしていくスライド操作が行われ、操作判定領域１０でのスライド操作の開始から終了までの操作時間が予め定められた閾値時間（たとえば、１秒）を超えた場合には、操作判定領域１０でのスライド操作を表示停止操作として受け付ける一方、複数の分割領域Ｄの全てがタッチされなかった場合、または、操作時間が閾値時間を超えなかった場合には、操作判定領域１０での操作を表示停止操作として受け付けず、液晶表示部１２は、タッチパネル部１１が表示停止操作を受け付けたとき、表示停止操作がなされた電子付箋ＤＰの表示を停止する。
【００６０】
本実施形態の構成によると、液晶表示部１２に表示された電子付箋ＤＰをタッチパネル部１１に対するタッチ操作によって画面上から消すとき、操作判定領域（電子付箋ＤＰの表示領域の一部）の複数の分割領域Ｄの全てを１つずつタッチしていくスライド操作を行わなければならない。さらに、操作判定領域１０でのスライド操作の開始から終了までの操作時間が予め定められた閾値時間を超えていなければならない。したがって、電子付箋ＤＰの表示領域に対してタップ操作やフリック操作を行ったとしても、電子付箋ＤＰは画面上から消えない。このため、電子付箋ＤＰを画面上から消すことを意図していないにもかかわらず、タッチパネル部１１に誤って触れてしまう（結果的に電子付箋ＤＰの表示領域をタップしてしまう）ことによって電子付箋ＤＰが画面上から消える、という不都合が発生し難い。これにより、誤操作により画面上の電子付箋ＤＰが意図せず消えてしまうのを抑制することができ、ユーザーの利便性が向上する。
【００６１】
さらに、表示停止操作としてのスライド操作は電子付箋ＤＰを仮想的に剥がすような操作（めくるような操作）であるので、ユーザーからすると、表示停止操作が直感的で分かり易い。
【００６２】
また、本実施形態では、上記のように、複数の分割領域Ｄのうちの１つが表示停止操作時に最初にタッチすべき操作開始領域として定められているとともに、複数の分割領域Ｄのうちの操作開始領域としての分割領域から離れるほど低くなるように複数の分割領域Ｄに順位が付されている。そして、操作判定領域１０において行われたスライド操作が複数の分割領域Ｄに付された順位に沿って複数の分割領域Ｄを１つずつタッチしていく操作であり、操作判定領域１０でのスライド操作の操作時間が閾値時間を超えた場合には、タッチパネル部１１は操作判定領域１０でのスライド操作を表示停止操作として受け付けるとともに、液晶表示部１２は表示停止操作がなされた電子付箋ＤＰの表示を停止する一方、操作判定領域１０において行われたスライド操作が複数の分割領域Ｄに付された順位に沿わずに複数の分割領域Ｄを１つずつタッチしていく操作であった場合には、タッチパネル部１１は操作判定領域１０でのスライド操作を表示停止操作として受け付けない。すなわち、液晶表示部１２に表示された電子付箋ＤＰをタッチパネル部１１に対するタッチ操作によって画面上から消すためには、複数の分割領域Ｄに付された順位に沿って複数の分割領域Ｄを１つずつタッチするようなスライド操作を行わなければならない。これにより、より一層、タッチパネル部１１に誤って触れたときに電子付箋ＤＰが画面上から意図せず消えてしまう、という不都合が発生し難くなる。
【００６３】
また、本実施形態では、上記のように、電子付箋ＤＰの表示領域の一部を操作判定領域１０と定め、操作判定領域１０を複数の分割領域Ｄに分割するとともに、タッチパネル部１１の出力に基づき操作判定領域１０においてスライド操作（タッチパネル部１１に対するタッチを解除することなくタッチ位置を移動させて複数の分割領域Ｄを１つずつタッチしていく操作）が行われたか否かを判定し、操作判定領域１０においてスライド操作が行われたと判定した場合に、操作判定領域１０でのスライド操作の操作時間が閾値時間を超えていれば、操作判定領域１０でのスライド操作が表示停止操作であると判定する表示制御部１５（判定部）を備えている。これにより、容易に、電子付箋ＤＰの表示領域（操作判定領域１０）において表示停止操作が行われたか否かを判定することができる。
【００６４】
また、本実施形態では、上記のように、操作判定領域１０が３つの分割領域Ｄ１〜Ｄ３に分割されている。すなわち、液晶表示部１２に表示された電子付箋ＤＰをタッチパネル部１１に対するタッチ操作によって画面上から消すためには、３つの分割領域Ｄ１〜Ｄ３を１つずつタッチするようなスライド操作を行わなければならない。これにより、より一層、タッチパネル部１１に誤って触れたときに電子付箋ＤＰが画面上から意図せず消えてしまう、という不都合が発生し難くなる。
【００６５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６６】
１０  操作判定領域
１１  タッチパネル部
１２  液晶表示部（表示部）
１５  表示制御部（判定部）
１００  画像形成装置
１０１  操作パネル（表示入力装置）
ＤＰ  電子付箋（オブジェクト）
Ｄ、Ｄ１、Ｄ２、Ｄ３  分割領域
【図１】
2014126968.tif 000003
【図２】
2014126968.tif 000004
【図３】
2014126968.tif 000005
【図４】
2014126968.tif 000006
【図５】
2014126968.tif 000007
【図６】
2014126968.tif 000008
【図７】
2014126968.tif 000009
【図８】
2014126968.tif 000010
【図９】
2014126968.tif 000011
【図１０】
2014126968.tif 000012
【図１１】
2014126968.tif 000013
【図１２】
2014126968.tif 000014
【図１３】
2014126968.tif 000015